(57)【要約】  【課題】  パンチ処理時に、記録プレートを給版ベルトに押し付けて記録プレートを固定して、この記録プレートのスリップを無くすことができて、記録プレートの両端部に正確にパンチ処理を施すことができる画像記録装置を提供する。  【解決手段】  圧縮空気発生設備より供給用チューブ５５、分流器５６、分岐配管５７、５８を介して一方及び他方の圧縮空気噴出機構部４７Ａ、４７Ｂに供給し、一方の圧縮空気噴出機構部４７Ａの中央の噴射ノズル５１及び一側方及び他側方の噴射ノズル５２、５３から圧縮空気を記録プレートＡ（Ｃ）に上から吹き付け、また、他方の圧縮空気噴出機構部４７Ｂの中央の噴射ノズル５１及び一側方及び他側方の噴射ノズル５２、５３から圧縮空気を記録プレートＡ（Ｃ）に上から吹き付けて、記録プレートＡ（Ｃ）の固定を行う。【選択図】  図１０
2005272089.tif 000002
【特許請求の範囲】
【請求項１】
記録プレートに画像を記録する記録部と、この記録部に前記記録プレートを供給する給版部とを備えた画像記録装置であって、
前記給版部が、前記記録プレートを前記記録部に搬送する給版ベルトを有する搬送部と、この搬送部の搬入側に位置していて前記記録プレートの一端部にパンチ処理を施すフロントパンチ装置と、前記搬送部の搬出側に位置していて前記記録プレートの他端部にパンチ処理を施すリアパンチ装置とを有しており、
前記給版部に、前記パンチ処理時に前記記録プレートを前記給版ベルトに押し付けて前記記録プレートを固定する押付け手段を設けたことを特徴とする画像記録装置。
【請求項２】
前記押付け手段は、前記記録プレートに圧縮空気を吹き付けることで前記固定を行う空気吹き付け装置であることを特徴とする請求項１に記載の画像記録装置。
【請求項３】
前記空気吹き付け装置は、前記搬送部の直上から前記記録プレートに圧縮空気を吹き付ける噴射ノズルを備えていることを特徴とする請求項２に記載の画像記録装置。
【請求項４】
前記給版部は、プレート給送方向に直交する向きに２枚並べて前記記録プレートが搬送できるように、二つの前記搬送部を有しており、前記噴射ノズルが、二つの前記搬送部のそれぞれ直上に配置してあって、前記噴射ノズルの噴射方向は、それぞれの噴射流が隣の前記搬送部に干渉しない方向に向けてあることを特徴とする請求項３に記載の画像記録装置。
【請求項５】
二つの前記搬送部のそれぞれに、前記プレート給送方向に直交する向きに前記噴射ノズルが三個配置されていて、中央の前記噴射ノズルは、その噴射方向を前記給版ベルトの搬送面上に垂直に向けており、一側方及び他側方の前記噴射ノズルは、それぞれの噴射方向を中央の前記噴射ノズルの前記噴射方向寄りに向けていることを特徴とする請求項３に記載の画像記録装置。
【請求項６】
二つの前記搬送部の駆動源を一つの駆動モータで行うようにしたことを特徴とする請求項４又は請求項５に記載の画像記録装置。
【発明の詳細な説明】
【技術分野】
【０００１】
本発明は、記録プレートに画像を記録する画像記録装置に関し、特に、記録プレートを積み重ねてできた堆積物から記録プレートを１枚ずつ取り上げて記録部に供給する給版部において、記録プレートのパンチ処理にあたって記録プレートを固定するようにした画像記録装置に関するものである。
【背景技術】
【０００２】
平板印刷では、表面に感剤がコーティングされてレーザ光の照射による露光により所要の画像が記録される記録プレートが印刷版として用いられており、このような記録プレートは多数積み重ねた状態で画像記録装置に搬入され、レーザ光による記録処理を行うにあたっては、記録プレートの堆積物から１枚ずつ記録プレートを取り上げて記録部に供給され、記録部での記録処理が終了すると記録済みの記録プレートが記録部から取り出されて外部に排出される。
【０００３】
記録部におけるドラムには、その外周の取付面に記録プレートを密着固定するために、記録プレートの端部を挟み込むクランプと、真空ポンプ（負圧発生源）により負圧に保持される負圧溝とが設けてある。
【０００４】
この負圧溝は、１Ｗ版の記録プレートを幅方向（ドラム軸方向）に２枚並べて取り付けることができるように、１Ｗ版の記録プレートに対応する一対のプレート取付領域が設けてあり、このプレート取付領域では、負圧溝を独立して作動させることができ、プレート取付領域のいずれか一方にのみ１Ｗ版の記録プレートを取り付けることも可能である。他方、２Ｗ版の記録プレートでは、一対のプレート取付領域の双方を覆うように記録プレートが取り付けられる。
【０００５】
そして、記録プレートの端部をクランプで挟み込んでドラムの外周の取付面に記録プレートを密着固定しているが、記録プレートと取付面との間に大気が入り込んで、この記録プレートが浮く現象が生じ、停電等で真空ポンプの駆動が停止して記録プレートの負圧保持ができなくなると、記録プレートがずれてクランプから外れるという不具合があった。
【０００６】
このために、記録プレートの両端部（咥え側及び咥え尻側）にパンチ処理により孔を開けて、記録プレートの両端部をクランプで挟み込んだ際にピンを孔に挿入して記録プレートを固定している。
【０００７】
そして、記録プレートを記録部に供給する給版部には、搬送装置の搬入側及び搬出側にパンチ装置がそれぞれ配置してあって、搬送装置の給版ベルト上に載せた記録プレートをパンチ装置に移送して記録プレートの両端部にパンチ処理により孔を開けている。
【０００８】
また、搬送装置は、プレート給送方向に対して直交する向きに二枚並べて１Ｗ版の記録プレートが搬送できるように、二つの搬送部を有しているが、搬送部のそれぞれの駆動プーリを別個の駆動モータで回転駆動している（特許文献１参照）。
【特許文献１】特開２００３―２５２４４６０号公報
【発明の開示】
【発明が解決しようとする課題】
【０００９】
しかしながら、給版ベルトに記録プレートを載せてパンチ装置に移動した場合、給版ベルトに対して記録プレートがスリップすると記録プレートの両端部に正確にパンチ処理を施すことができない。
【００１０】
また、搬送部のそれぞれの駆動プーリを別個の駆動モータで回転駆動しているために、二つの搬送部の給版ベルトに２Ｗ版の記録プレートが載って搬送されてパンチ装置に移動した場合、二つの搬送部のそれぞれの駆動モータの負荷の違いにより給版ベルトの速度が異なり、記録プレートが正確にパンチ装置に装着することが出来ずに、記録プレートの両端部に正確にパンチ処理を施すことができない。
【００１１】
このために、パンチ装置でパンチ処理が行う場合に、パンチ位置がずれないように記録プレートを固定することが可能な構成が望まれる。
【００１２】
本発明は、このような発明者の知見に基づき案出されたものであり、その目的とするところは、パンチ処理時に、記録プレートを給版ベルトに押し付けて記録プレートを固定して、この記録プレートのスリップを無くすことができて、記録プレートの両端部に正確にパンチ処理を施すことができる画像記録装置を提供することである。
【課題を解決するための手段】
【００１３】
上記の目的を達成するために、本発明に係る画像記録装置は、記録プレートに画像を記録する記録部と、この記録部に記録プレートを供給する給版部とを備えた画像記録装置であって、給版部が、記録プレートを記録部に搬送する給版ベルトを有する搬送部と、この搬送部の搬入側に位置していて記録プレートの一端部にパンチ処理を施すフロントパンチ装置と、搬送部の搬出側に位置していて記録プレートの他端部にパンチ処理を施すリアパンチ装置とを有しており、給版部に、パンチ処理時に記録プレートを給版ベルトに押し付けて記録プレートを固定する押付け手段を設けたものである。
【００１４】
かかる構成により、パンチ処理時に、押付け手段により記録プレートを給版ベルトに押し付けて記録プレートを固定して、この記録プレートのスリップを無くすことができて、記録プレートの両端部に正確にパンチ処理を施すことができる。
【００１５】
また、本発明に係る画像記録装置は、上記した本発明に係る画像記録装置において、押付け手段は、記録プレートに圧縮空気を吹き付けることで固定を行う空気吹き付け装置である。
【００１６】
かかる構成により、パンチ処理時に、空気吹き付け装置により記録プレートに圧縮空気を吹き付けて、記録プレートを給版ベルトに押し付けて記録プレートを固定して、この記録プレートのスリップを無くすことができて、記録プレートの両端部に正確にパンチ処理を施すことができる。
【００１７】
また、本発明に係る画像記録装置は、上記した本発明に係る画像記録装置において、空気吹き付け装置は、搬送部の直上から記録プレートに圧縮空気を吹き付ける噴射ノズルを備えている。
【００１８】
かかる構成により、パンチ処理時に、噴射ノズルから記録プレートに圧縮空気を吹き付けることにより、記録プレートを給版ベルトに押し付けて記録プレートを固定して、この記録プレートのスリップを無くすことができて、記録プレートの両端部に正確にパンチ処理を施すことができる。
【００１９】
また、本発明に係る画像記録装置は、上記した本発明に係る画像記録装置において、給版部は、プレート給送方向に直交する向きに２枚並べて記録プレートが搬送できるように二つの搬送部を有しており、噴射ノズルが、二つの搬送部のそれぞれ直上に配置してあって、噴射ノズルの噴射方向は、それぞれの噴射流が隣の搬送部に干渉しない方向に向けてある。
【００２０】
かかる構成により、一方の搬送部における噴射ノズルで噴射された圧縮空気は他方の搬送部側に吹き付けられることがなく、同様に、他方の搬送部における噴射ノズルで噴射された圧縮空気は一方の搬送部側に吹き付けられることがないために、一方（他方）の搬送部で搬送される記録プレートが、他方（一方）の搬送部側の噴射ノズルからの噴射流の影響を受けることがなく、圧縮空気を吹き付けによる記録プレートの給版ベルトへの押し付けを確実に行うことができる。このために、記録プレートを固定して、この記録プレートのスリップを無くすことができて、記録プレートの両端部に正確にパンチ処理を施すことができる。
【００２１】
また、片方の搬送部に記録プレートが存在しない場合は、圧縮空気は給版ベルトに吹き付けられて、この給版ベルトの表面の清掃が行われる。給版ベルトの表面に塵埃が付着すると、摩擦力が低下してスリップなどを生じるが、このスリップなどを防止することができる。
【００２２】
また、本発明に係る画像記録装置は、上記した本発明に係る画像記録装置において、二つの搬送部のそれぞれに、プレート給送方向に直交する向きに噴射ノズルが三個配置されていて、これらの噴射ノズルは共通の圧縮空気供給源に接続してあり、中央の噴射ノズルは、その噴射方向を給版ベルトの搬送面上に垂直に向けており、一側方及び他側方の噴射ノズルは、それぞれの噴射方向を中央の噴射ノズルの噴射方向寄りに向けている。
【００２３】
かかる構成により、一方の搬送部における一側方及び他側方の噴射ノズルで噴射された圧縮空気は、その中央の噴射ノズルの噴射方向寄りに吹き付けられるために、他方の搬送部側に吹き付けられることがなく、同様に、他方の搬送部における一側方及び他側方の噴射ノズルで噴射された圧縮空気は、その中央の噴射ノズルの噴射方向寄りに吹き付けられて、一方の搬送部側に吹き付けられることがないために、一方（他方）の搬送部で搬送される記録プレートが、他方（一方）の搬送部側の噴射ノズルからの噴射流の影響を受けることがなく、圧縮空気を吹き付けによる記録プレートの給版ベルトへの押し付けを確実に行うことができる。このために、記録プレートを固定して、この記録プレートのスリップを無くすことができて、記録プレートの両端部に正確にパンチ処理を施すことができる。また、片方の搬送部に記録プレートが存在しない場合は、圧縮空気は給版ベルトに吹き付けられて、この給版ベルトの表面の清掃が行われる。給版ベルトの表面に塵埃が付着すると、摩擦力が低下してスリップなどを生じるが、このスリップなどを防止することができる。
【００２４】
また、本発明に係る画像記録装置は、上記した本発明に係る画像記録装置において、二つの搬送部の駆動源を一つの駆動モータで行うようにしたものである。
【００２５】
かかる構成により、二つの搬送部の給版ベルトに２Ｗ版の記録プレートが載って搬送されて、パンチ装置に移動する場合、二つの搬送部のそれぞれの駆動モータの負荷の違いにより給版ベルトの速度が異なり、記録プレートを正確にパンチ装置にセットすることができず、記録プレートの両端部に正確にパンチ処理を施すことができないが、搬送部の駆動源を一つの駆動モータにすることで、記録プレートが正確にパンチ装置にセットすることができて、記録プレートの両端部に正確にパンチ処理を施すことができる。
【発明の効果】
【００２６】
本発明に係る画像記録装置によれば、パンチ処理時に、押付け手段により、すなわち、空気吹き付け装置により記録プレートに圧縮空気を吹き付けて、記録プレートを給版ベルトに押し付けて記録プレートを固定して、この記録プレートのスリップを無くすことができて、記録プレートの両端部に正確にパンチ処理を施すことができる。
【発明を実施するための最良の形態】
【００２７】
以下に、添付の図面を参照して本発明の実施の形態について詳細に説明する。
【００２８】
図１は本発明に係る画像記録装置の正面図、図２は同画像記録装置の側面図、図３は同画像記録装置の平面図である。
【００２９】
本発明に係る画像記録装置は、図１乃至図３に示すように、新聞紙面印刷での印刷版の製版に用いられるものであり、記録プレートに画像を記録する記録ユニット（記録部）１と、この記録ユニット１に記録プレートを供給する給版ユニット（給版部）２と、記録済みの記録プレートを記録ユニット１から取り込んで外部に送り出す排版ユニット（排版部）３と、記録プレート及び合い紙を交互に積み重ねてできた堆積物４、５が配置された第１、第２のプレート格納部６、７と、プレート格納部６、７から所要の記録プレートを１枚ずつ取り上げて給版ユニット２に移送する吸着ユニット（プレート移送手段）８と、プレート格納部６、７の堆積物４、５から分離除去された合い紙を回収する合い紙回収ユニット（合い紙回収部）９とを備えている。
【００３０】
新聞紙面印刷の印刷版には、所定幅の記録プレート（１Ｗ２Ｌサイズ、４００ｍｍ×１１００ｍｍ、以下１Ｗ版と呼称する）Ａと、その２倍幅の記録プレート（２Ｗ２Ｌサイズ、８００ｍｍ×１１００ｍｍ、以下２Ｗ版と呼称する）Ｃ（図８参照）との２種類の記録プレートが用いられており、第１のプレート格納部６では、１Ｗ版の記録プレートＡ及び合い紙（図示せず）の堆積物４が積載されたスキッド１１が床面上に横に並べて一対配置されている。また、第２のプレート格納部７では、２Ｗ版の記録プレートＣ及び合い紙（図示せず）の堆積物５が収容されたカセット１２が格納されている。
【００３１】
吸着ユニット８は、第１のプレート格納部６に横に並べて一対配置されたスキッド１１に対応して、その上方に横に並べて一対設けられており、スキッド１１の真上でガイドポスト１３に沿って上下に移動可能になっている。
【００３２】
吸着ユニット８は、サーボモータ１４でねじ軸（図示せず）を回転させることで昇降動作し、エンコーダ（図示せず）を介して検出されるパルス数の計数により吸着ユニット８の高さ位置を把握することができ、これにより所要の位置に吸着ユニット８を移動、停止させると共に、プレート格納部６（７）に格納された記録プレートＡ（Ｃ）の残量を検知することができる。一対のサーボモータ１４は、同期と非同期との切替が可能になっている。
【００３３】
図４は、図１に示した画像記録装置における記録プレートＡ（Ｃ）及び合い紙の搬送状態を模式的に示す斜視図である。ここでは、記録プレートＡ（Ｃ）を積み重ねてできた堆積物４（５）から最上の記録プレートＡ（Ｃ）を１枚ずつ取り上げて給版ユニット２に移送するピッキング工程と、給版ユニット２から記録プレートＡ（Ｃ）を記録ユニット１に供給する給版工程と、記録ユニット１で記録が行われた記録済みの記録プレートＡ（Ｃ）を排版ユニット３に取り込んで外方に排出する排版工程とを有しており、記録プレートＡ（Ｃ）において現像が必要なものであれば現像機に送られる。
【００３４】
記録プレートの堆積物４（５）から記録プレートＡ（Ｃ）を取り上げる際には、記録プレートＡ（Ｃ）と同時にその下側の合い紙を取り上げて、給版ユニット２への移送途中で合い紙を放棄し、この合い紙を合い紙回収ユニット（合い紙回収部）９に回収させるようにしており、給版ユニット２には記録プレートＡ（Ｃ）のみが移送される。なお、記録プレートＡ（Ｃ）のピッキングを行う際に、堆積物４（５）の最上面に合い紙がある場合には、記録プレートＡ（Ｃ）のピッキングを中止して最上の合い紙を取り上げて除去した上で記録プレートＡ（Ｃ）のピッキングをやり直す。
【００３５】
給版ユニット２は、図２に示したように吸着ユニット８の真下にせり出して吸着ユニット８が保持する記録プレートＡ（Ｃ）を搬送面上に載置可能なプレート受取位置と、吸着ユニット８の昇降を阻害しない待機位置との間で進退可能にフレーム１８を介してガイドレール１９に支持されている。
【００３６】
排版ユニット３も、記録を行わずに記録プレートＡ（Ｃ）を排出させる場合に備えて、プレート受取位置と待機位置との間でガイドレール２０に沿って進退可能にしてある。
【００３７】
給版ユニット２及び排版ユニット３は、待機位置で記録ユニット１に対向し、ここで記録ユニット１への記録プレートＡ（Ｃ）の供給並びに記録ユニット１からの記録プレートＡ（Ｃ）の取り込みが可能になっている。
【００３８】
また、第２のプレート格納部７のカセット１２も、第１のプレート格納部６からの１Ｗ版の記録プレートＡの取り上げを阻害しない待機位置と、第１のプレート格納部６とその上方の吸着ユニット８との間に進入して吸着ユニット８による２Ｗ版の記録プレートＣの取り上げを可能にする作動位置との間で進退可能にしてある。
【００３９】
合い紙回収ユニット９は、プレート格納部６、７の上方に配置してあると共に、給版ユニット２並びに排版ユニット３の下方に配置してあり、吸着ユニット８の真下にせり出して吸着ユニット８から投棄された合い紙を収容可能な合い紙受取位置と待機位置との間で進退可能になっている。
【００４０】
記録ユニット１では、図５に示すように、記録プレートＡをドラム（プレート保持体）２１に巻き付けて保持させ、このドラム２１をドラム回転モータ２２により回転させると共に、記録ヘッド２３をリニアモータでドラム２１の軸方向に走行させることにより記録プレートＡ（Ｃ）に画像を記録することができる。
【００４１】
ドラム２１には、その外周の取付面に記録プレートＡ（Ｃ）を密着固定するために、記録プレートＡ（Ｃ）の端部を挟み込むクランプ２４と、真空ポンプ（負圧発生源）２５により負圧に保持される負圧溝２６とが設けられている。
【００４２】
負圧溝２６は、図示するように１Ｗ版の記録プレートＡを幅方向（ドラム軸方向）に２枚並べて取り付けることができるように、１Ｗ版の記録プレートＡに対応する一対のプレート取付領域２７、２８が設けられている。このプレート取付領域２７、２８では、負圧溝２６を独立して作動させることができ、プレート取付領域２７、２８のいずれか一方にのみ１Ｗ版の記録プレートＡを取り付けることも可能である。他方、２Ｗ版の記録プレートＣでは、一対のプレート取付領域２７、２８の双方を覆うように記録プレートＣが取り付けられる。
【００４３】
給版ユニット２は、図６に示すように、搬送装置３０を備えている。この搬送装置３０は、図７に示すように、プレート給送方向Ｆに対して直交する向きに２枚並べて１Ｗ版の記録プレートＡが搬送できるように、二つの搬送部３１、３２を有している。
【００４４】
搬送部３１、３２は、それぞれに、駆動プーリ３３と、従動プーリ３４と、これらの駆動プーリ３３と従動プーリ３４とに掛けられた給版ベルト３５と、駆動モータ３６とを有しており（図９参照）、搬送部３１、３２のそれぞれの駆動プーリ３３は連結してある。また、駆動プーリ３３の回転軸３３ａにはプーリ３７が取付けてあり、駆動モータ３６の駆動軸３６ａにはプーリ３８が取付けてあって、プーリ３７とプーリ３８とにはタイミングベルト３９が掛けてある。そして、搬送部３１、３２は、図６において破線で表してあるように上下方向に傾動制御ができるようにしてある。
【００４５】
また、搬送部３１、３２には、吸着ユニット８により載置された記録プレートＡを、記録ユニット１のドラム２１上のプレート取付領域２７、２８に整合する位置に位置決めする位置決め手段として押えローラ（押え部材）４１及び基準ピン（基準部材）４２が設けてあり、押えローラ４１は、ドラム２１へのプレート給送方向に対して直交する幅方向の両側部に配置してあって、記録プレートＡを内向きに押し込み、基準ピン４２は、幅方向の中心部に配置してあって、記録プレートＡの幅方向位置を規定するようにしてある。
【００４６】
基準ピン４２は、図８に示すように、給版ベルト３５の搬送面３５Ａ上に突出する作動位置と、搬送面３５Ａ下に没入する待機位置との間で昇降可能に設けてある。２Ｗ版の記録プレートＣの場合には、基準ピン４２が待機位置となり、押えローラ４１が記録プレートＣの側線に当接して記録プレートＣを両側から挟み込むようにして位置決めを行う。１Ｗ版の記録プレートＡの場合には、基準ピン４２が搬送面３５Ａ上に突出する作動位置となり、押えローラ４１が記録プレートＡの外側の側線に当接して記録プレートＡを内向きに押し込むと共に、基準ピン４２が記録プレートＡの内側の側線に当接して位置決めを行う。
【００４７】
また、給版ユニット２には、図９に示すように、搬送装置３０の搬入側にフロントパンチ装置４３が、搬出側にリアパンチ装置４４がそれぞれ配置してある。
【００４８】
また、給版ユニット２には、図９に示すように、搬送装置３０の上方に位置させて押付け手段である空気吹付け装置４５が配置してある。この空気吹付け装置４５は、図１０に示すように、ガイドレール１９に連なる保持部材４６に保持された一方及び他方の圧縮空気噴出機構部４７Ａ、４７Ｂを有している。
【００４９】
一方及び他方の圧縮空気噴出機構部４７Ａ、４７Ｂは、図１１において中央、その一側方及び他側方の圧縮空気供給ヘッド４８、４９、５０を備えていて、中央の圧縮空気供給ヘッド４８には圧縮空気導入口４８ａと、二つの接続口４８ｂ、４８ｃと、ノズル装着口４８ｄとが設けてあり、また、一側方の圧縮空気供給ヘッド４９には、圧縮空気導入口４９ａと、ノズル装着口４９ｄとが設けてあり、また、他側方の圧縮空気供給ヘッド５０には、圧縮空気導入口５０ａとノズル装着口５０ｄとが設けてある。
【００５０】
そして、中央の圧縮空気供給ヘッド４８のノズル装着口４８ｄには噴射ノズル５１が装着してあり、また、一側方の圧縮空気供給ヘッド４９のノズル装着口４９ｄには一側方の噴射ノズル５２が装着してあり、また、他側方の圧縮空気供給ヘッド５０のノズル装着口５０ｄには他側方の噴射ノズル５３が装着してある。
【００５１】
そして、中央の圧縮空気供給ヘッド４８の噴射ノズル５１は、その噴射方向イが鉛直方向イになるように垂直にしてある。また、一側方の噴射ノズル５２は、その噴射方向ロが鉛直方向イに対して所定の角度を有するように、噴射ノズル５１側に傾けてあり、また、他側方の噴射ノズル５３は、その噴射方向ハが鉛直方向イに対して所定の角度を有するように角度噴射ノズル５１側に傾けてある。
【００５２】
そして、中央の圧縮空気供給ヘッド４８の一方の接続口４８ｂと一側方の圧縮空気供給ヘッド４９の圧縮空気導入口４９ａとは接続管５４Ａで連ねてあり、中央の圧縮空気供給ヘッド４８の他方の接続口４８ｃと他側方の圧縮空気供給ヘッド５０の圧縮空気導入口５０ａとは接続管５４Ｂで連ねてある。
【００５３】
ガイドレール１９には、圧縮空気発生設備（図示せず）に接続された供給用チューブ５５が配設してあり、供給用チューブ５５の端部には分流器５６が接続してある。そして、この分流器５６の一方の流出口５６ａは分岐配管５７を介して一方の圧縮空気噴出機構部４７Ａの中央の圧縮空気供給ヘッド４８の圧縮空気導入口４８ａに接続してあり、分流器５６の他方の流出口５６ｂは分岐配管５８を介して他方の圧縮空気噴出機構部４７Ｂの中央の圧縮空気供給ヘッド４８の圧縮空気導入口４８ａに接続してある。なお、図１０中６０はフィルタである。
【００５４】
上記のように構成された空気吹付け装置４５がガイドレール１９に配置された状態では、一方の圧縮空気噴出機構部４７Ａは、図１０に示すように一方の搬送部３１の直上に位置し、他方の圧縮空気噴出機構部４７Ｂは他方の搬送部３２の直上に位置していて、中央の噴射ノズル５１は、その噴射方向イを給版ベルト３５の搬送面３５Ａ上の中央に垂直に向けており、また、一側方の噴射ノズル５２は、その噴射方向ロを給版ベルト３５の搬送面３５Ａに対して所定の角度を有するように、噴射ノズル５１側に傾けており、また、他側方の噴射ノズル５３は、その噴射方向ハが給版ベルト３５の搬送面３５Ａに対して所定の角度を有するように角度噴射ノズル５１側に傾けている。
【００５５】
また、図６に示すように、給版ユニット２からドラム２１に至る給版経路には、記録プレートＡ（Ｃ）の接触面に接触するように搬送ローラ５９が配置してある。搬送ローラ５９は記録プレートＡ（Ｃ）の搬送に必要な摩擦係数を持ったゴムローラ等で構成されている。
【００５６】
なお、給版ユニット２は、記録プレートＡ（Ｃ）をドラム２１に給送する際に、ドラム２１側を下向きに傾斜させた状態になる。また、搬送ローラ５９は、給版ユニット２の給版ベルト３５で記録プレートＡ（Ｃ）を給送する際に図示しないモータで回転駆動されて記録プレートＡ（Ｃ）をドラム２１に案内し、記録プレートＡ（Ｃ）の先端部がクランプ２４でドラム２１に固定されると、ドラム２１による記録プレートＡ（Ｃ）の引き込み動作を阻害しないようにつれ回りで回転する。
【００５７】
次に、給版ユニット２の作動と空気吹付け装置４５の作動を説明する。
【００５８】
給版ユニット２において、押えローラ４１及び基準ピン４２を用いて記録プレートＡ（Ｃ）の整列処理を行い、ついで給版ユニット２をドラム２１に対向する待機位置Ｔへ戻す。そして、記録プレートＡ（Ｃ）の両端部にドラム２１に巻き付け固定する際の位置決めのための孔を開設するパンチ処理をフロントパンチ装置４３及びリアパンチ装置４４で行う。
【００５９】
すなわち、駆動モータ３６の駆動により、プーリ３７、タイミングベルト３９及びプーリ３８を介して駆動プーリ３３を回転し、給版ベルト３５を、前方向（図９において左方向）に回転走行させて記録プレートＡ（Ｃ）を前方に移動させて、この記録プレートＡ（Ｃ）の一端部（前端部）をフロントパンチ装置４３にセットする。
【００６０】
上記したように搬送装置３０は、プレート給送方向Ｆに対して直交する向きに２枚並べて１Ｗ版の記録プレートＡが搬送できるように、二つの搬送部３１、３２を有していて、搬送部３１、３２のそれぞれの駆動プーリ３３を一つの駆動モータ３６で回転駆動している。すなわち、一つの駆動モータ３６で二つの搬送部３１、３２のそれぞれの駆動プーリ３３を回転駆動して、二つの搬送部３１、３２のそれぞれの給版ベルト３５を回転走行させている。これら二つの給版ベルト３５に記録プレートＡ（Ｃ）が載って搬送されて、フロントパンチ装置４３に移動した場合、給版ベルト３５に対して記録プレートＡ（Ｃ）がスリップすると、記録プレートＡ（Ｃ）にずれが生じる。
【００６１】
このために、フロントパンチ装置４３でパンチ処理を施す場合に、パンチ位置がずれないように記録プレートＡ（Ｃ）を固定する必要がある。
【００６２】
記録プレートＡ（Ｃ）の固定を、上記のように構成された空気吹付け装置４５により記録プレートＡ（Ｃ）の上面に圧縮空気を吹き付けることにより行う。
【００６３】
すなわち、図１０に示すように、圧縮空気発生設備より供給用チューブ５５、分流器５６、分岐配管５７、５８を介して一方及び他方の圧縮空気噴出機構部４７Ａ、４７Ｂに供給し、一方の圧縮空気噴出機構部４７Ａの中央の噴射ノズル５１及び一側方及び他側方の噴射ノズル５２、５３から圧縮空気を記録プレートＡ（Ｃ）に上から吹き付け、また、他方の圧縮空気噴出機構部４７Ｂの中央の噴射ノズル５１及び一側方及び他側方の噴射ノズル５２、５３から圧縮空気を記録プレートＡ（Ｃ）に上から吹き付けて、記録プレートＡ（Ｃ）の固定を行う。
【００６４】
上記したように、一方及び他方の圧縮空気噴出機構部４７Ａ、４７Ｂのそれぞれにおいて、一側方の噴射ノズル５２は、その噴射方向ロを給版ベルト３５の搬送面３５Ａに対して所定の角度を有するように、噴射ノズル５１側に傾けており、また、他側方の噴射ノズル５３は、その噴射方向ハが給版ベルト３５の搬送面３５Ａに対して所定の角度を有するように角度噴射ノズル５１側に傾けているために、一方の搬送部３１直上の一方の圧縮空気噴出機構部４７Ａ側で噴射された圧縮空気が他方の搬送部３２側に吹き付けられることがなく、また、他方の搬送部３２直上の他方の圧縮空気噴出機構部４７Ｂ側で噴射された圧縮空気が一方の搬送部３１側に吹き付けられることがない。仮に、片方の搬送部に記録プレートＡ（Ｃ）が存在しない場合は、圧縮空気は給版ベルト３５に吹き付けられて、この給版ベルト３５の表面の清掃が行われる。給版ベルト３５の表面に塵埃が付着すると、摩擦力が低下してスリップなどを生じるが、このスリップなどを防止することができる。
【００６５】
上記したように、フロントパンチ装置４３で記録プレートＡ（Ｃ）の一端部のパンチ処理を行った後に、駆動モータ３６を逆回転駆動して、給版ベルト３５を後方向（図９において右方向）に回転走行させて記録プレートＡ（Ｃ）を移動させて、この記録プレートＡ（Ｃ）の他端部をリアパンチ装置４４にセットしてパンチ処理を施すが、この場合も、上記したフロントパンチ装置４３でのパンチ処理の場合と同様に、空気吹付け装置４５により記録プレートＡ（Ｃ）の上面に圧縮空気を吹き付けて、記録プレートＡ（Ｃ）の固定を行う。
【００６６】
また、二つの搬送部３１、３２の給版ベルト３５に２Ｗ版の記録プレートＣが載って搬送されて、フロントパンチ装置４３及びリアパンチ装置４４に移動する場合、従来、二つの搬送部のそれぞれの駆動モータの負荷の違いにより給版ベルトの走行速度が異なり、記録プレートを正確にパンチ装置に装着することができず、記録プレートの両端部に正確にパンチ処理を施すことができないが、二つの搬送部３１、３２の駆動源を一つの駆動モータ３６にすることで、記録プレートＣが正確にフロントパンチ装置４３及びリアパンチ装置４４に挿入することができて、記録プレートＣの両端部に正確にパンチ処理を施すことができる。
【００６７】
次に、給版ユニット２をプレート供給位置に傾動させて、駆動モータ３６の正転駆動により給版ベルト３５を回転走行させて記録プレートＡ（Ｃ）をドラム２１に給送する。このとき、搬送ローラ５９により、記録プレートＡ（Ｃ）はドラム２１側に確実に案内されることになる。
【００６８】
上記したように本発明の実施の形態によれば、パンチ処理時に、空気吹き付け装置４５により記録プレートＡ（Ｃ）に圧縮空気を吹き付けて、記録プレートＡ（Ｃ）を給版ベルト３５に押し付けて記録プレートＡ（Ｃ）を固定して、この記録プレートＡ（Ｃ）のスリップを無くすことができて、記録プレートＡ（Ｃ）の両端部に正確にパンチ処理を施すことができる。
【００６９】
また、一方の搬送部３１における一側方及び他側方の噴射ノズル５２、５３で噴射された圧縮空気は、その中央の噴射ノズル５１の噴射方向寄りに吹き付けられるために、他方の搬送部３２側に吹き付けられることがなく、同様に、他方の搬送部３２における一側方及び他側方の噴射ノズル５２、５３で噴射された圧縮空気は、その中央の噴射ノズル５１の噴射方向寄りに吹き付けられて、一方の搬送部３１側に吹き付けられることがないために、一方（他方）の搬送部３１（３２）で搬送される記録プレートＡ（Ｃ）が、他方（一方）の搬送部３２（３１）側の噴射ノズル５２、５３からの噴射流の影響を受けることがなく、圧縮空気を吹き付けによる記録プレートＡ（Ｃ）の給版ベルト３５への押し付けを確実に行うことができる。このために、記録プレートＡ（Ｃ）を固定して、この記録プレートＡ（Ｃ）のスリップを無くすことができて、記録プレートＡ（Ｃ）の両端部に正確にパンチ処理を施すことができる。
【００７０】
また、片方の搬送部に記録プレートＡ（Ｃ）が存在しない場合は、圧縮空気は給版ベルト３５に吹き付けられて、この給版ベルト３５の表面の清掃が行われる。給版ベルト３５の表面に塵埃が付着すると、摩擦力が低下してスリップなどを生じるが、このスリップなどを防止することができる。
【産業上の利用可能性】
【００７１】
本発明に係る画像記録装置は、パンチ処理時に、押付け手段により、すなわち、空気吹付け装置により記録プレートに圧縮空気を吹き付けて、記録プレートを給版ベルトに押し付けて記録プレートを固定して、この記録プレートのスリップを無くすことができて、記録プレートの両端部に正確にパンチ処理を施すことができるという効果を有し、記録プレートに画像を記録する画像記録装置等に有用である。
【図面の簡単な説明】
【００７２】
【図１】本発明に係る画像記録装置の正面図
【図２】同画像記録装置の側面図
【図３】同画像記録装置の平面図
【図４】同画像記録装置における記録プレート及び合い紙の搬送状態を模式的に示す斜視図
【図５】同画像記録装置における記録部の斜視図
【図６】同画像記録装置における給版ユニットでの記録プレートを記録部に給版する状態の説明図
【図７】同画像記録装置における給版ユニットの平面図
【図８】同給版ユニットの側面図
【図９】圧縮空気吹付け装置の配置説明図
【図１０】図９のＸ方向からの矢視図
【図１１】圧縮空気噴出機構部の構成説明図
【符号の説明】
【００７３】
１      記録ユニット（記録部）
２      給版ユニット（給版部）
３      排版ユニット（排版部）
４      堆積物
５      堆積物
６      第１のプレート格納部
７      第２のプレート格納部
８      吸着ユニット（プレート移送手段）
９      合い紙回収ユニット（合い紙回収部）
２１    ドラム
３０    搬送装置
３１    一方の搬送部
３２    他方の搬送部
３６    駆動モータ
４３    フロントパンチ装置
４４    リアパンチ装置
４５    空気吹付け装置（押付け手段）
４６    保持部材
４７Ａ  一方の圧縮空気噴出機構部
４７Ｂ  他方の圧縮空気噴出機構部
４８    中央の圧縮空気供給ヘッド
４９    一側方の圧縮空気供給ヘッド
５０    他側方の圧縮空気供給ヘッド
５１、５２、５３  噴射ノズル
Ａ      記録プレート
Ｃ      記録プレート
【図１】
2005272089.tif 000003
【図２】
2005272089.tif 000004
【図３】
2005272089.tif 000005
【図４】
2005272089.tif 000006
【図５】
2005272089.tif 000007
【図６】
2005272089.tif 000008
【図７】
2005272089.tif 000009
【図８】
2005272089.tif 000010
【図９】
2005272089.tif 000011
【図１０】
2005272089.tif 000012
【図１１】
2005272089.tif 000013